【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
第１ＳＡＳデバイス、第２ＳＡＳデバイス、および第３ＳＡＳデバイスを含む３つのＳＡＳデバイスと、
前記第１ＳＡＳデバイスを前記第２ＳＡＳデバイスおよび前記第３ＳＡＳデバイスのそれぞれに結合するように構成されたＳＡＳエキスパンダ・コンポーネントとを含み、
前記第１ＳＡＳデバイスおよび前記ＳＡＳエキスパンダが、前記第１ＳＡＳデバイスと前記第２ＳＡＳデバイスとの間の第１オープン接続ならびに前記第１ＳＡＳデバイスと前記第３ＳＡＳデバイスとの間の第２オープン接続を同時に許容するように適合され、
前記第１オープン接続および前記第２オープン接続が、前記第１ＳＡＳデバイスを前記ＳＡＳエキスパンダに結合する単一のリンクを利用する、システム。
【請求項２】
前記第１オープン接続が、前記第１ＳＡＳデバイスから前記第２ＳＡＳデバイスにフレームを送出するのに使用され、
前記第２オープン接続が、前記第３ＳＡＳデバイスから前記第１ＳＡＳデバイスにフレームを送出するのに使用される、請求項１に記載のシステム。
【請求項３】
前記システムが、前記第１ＳＡＳデバイスから前記第２ＳＡＳデバイスにＣＲＥＤＩＴ  ＢＬＯＣＫＥＤプリミティブを送ることによって、前記第１オープン接続内で前記第１ＳＡＳデバイスに関連する受取クレジットをブロックするように適合される、請求項２に記載のシステム。
【請求項４】
前記システムが、前記第３ＳＡＳデバイスによって前記第１ＳＡＳデバイスに通常送られる前記第２オープン接続内のＲＲＤＹプリミティブを破棄するように適合される、請求項２に記載のシステム。
【請求項５】
前記ＳＡＳエキスパンダが、前記第２オープン接続がオープンされたままである間に第４ＳＡＳデバイスから前記第１ＳＡＳデバイスに向けられたアドレス・フレーム・オープンを拒絶するように適合される、請求項１に記載のシステム。
【請求項６】
前記ＳＡＳエキスパンダが、前記第２オープン接続がオープンされたままである間に第４ＳＡＳデバイスから前記第１ＳＡＳデバイスに向けられたアドレス・フレーム・オープンを遅延するように適合される、請求項１に記載のシステム。
【請求項７】
第１ＳＡＳデバイスを第２および第３のＳＡＳデバイスのそれぞれに結合するＳＡＳエキスパンダを有するＳＡＳドメイン内で動作可能な方法であって、
前記第１ＳＡＳデバイスと前記第２ＳＡＳデバイスとの間で前記ＳＡＳエキスパンダを介して第１仮想接続を確立することを含み、前記第１仮想接続が前記第１ＳＡＳデバイスによって確立され、前記第１ＳＡＳデバイスから前記第２ＳＡＳデバイスへフレームを送るのに使用され、さらに、
前記第１ＳＡＳデバイスと前記第３ＳＡＳデバイスとの間で前記ＳＡＳエキスパンダを介して第２仮想接続を確立することを含み、前記第２仮想接続が前記第３ＳＡＳデバイスによって確立され、前記第３ＳＡＳデバイスから前記第１ＳＡＳデバイスへフレームを送るのに使用され、
前記第１仮想接続および前記第２仮想接続が、動作をオーバーラップさせることができ、
前記第１仮想接続および前記第２仮想接続が、前記第１ＳＡＳデバイスを前記ＳＡＳエキスパンダに結合する同一のリンクを利用する、方法。
【請求項８】
前記第２仮想接続がオープンされたままである間に前記第１ＳＡＳデバイスに向けられる第４ＳＡＳデバイスからのアドレス・フレーム・オープンを拒絶することをさらに含む、請求項７に記載の方法。
【請求項９】
前記第３ＳＡＳデバイスによって前記第１ＳＡＳデバイスに送られるＲＲＤＹプリミティブを破棄することをさらに含む、請求項７に記載の方法。
【請求項１０】
前記第１ＳＡＳデバイスから前記第２ＳＡＳデバイスにＣＲＥＤＩＴ  ＢＬＯＣＫＥＤプリミティブを送ることをさらに含む、請求項７に記載の方法。
【請求項１１】
第１、第２、および第３のＳＡＳデバイスを結合するように適合されたＳＡＳエキスパンダであって、
前記第１ＳＡＳデバイスから前記第２ＳＡＳデバイスにフレームを送るために、前記第１ＳＡＳデバイスと前記第２ＳＡＳデバイスとの間に第１仮想接続を確立し動作させるように適合された第１仮想接続論理と、
前記第３ＳＡＳデバイスから前記第１ＳＡＳデバイスにフレームを送るために、前記第１ＳＡＳデバイスと前記第３ＳＡＳデバイスとの間に第２仮想接続を確立し動作させるように適合された第２仮想接続論理とを含み、
前記第１仮想接続論理および前記第２仮想接続論理のそれぞれが、前記第１仮想接続および前記第２仮想接続が動作をオーバーラップすることを可能にするように適合される、ＳＡＳエキスパンダ。
【請求項１２】
前記第２仮想接続がオープンされたままである間に前記第１ＳＡＳデバイスに向けられた第４ＳＡＳデバイスからのフレーム・オープン要求を拒絶するように適合された接続オープン拒絶論理をさらに含む、請求項１１に記載のエキスパンダ。
【請求項１３】
前記第２仮想接続論理が、
前記第３ＳＡＳデバイスから前記第１ＳＡＳデバイスへ向けられるＲＲＤＹプリミティブを破棄するように適合された二重論理をさらに含む、請求項１１に記載のエキスパンダ。
【請求項１４】
前記第１仮想接続論理が、
前記第１ＳＡＳデバイスから前記第２ＳＡＳデバイスにＣＲＥＤＩＴ  ＢＬＯＣＫＥＤプリミティブを送ることによって、第１オープン接続内で前記第１ＳＡＳデバイスに関連する受取クレジットをブロックするように適合された二重論理をさらに含む、請求項１１に記載のエキスパンダ。
【請求項１５】
前記第２仮想接続論理が、第２オープン接続がオープンされたままである間に前記第１ＳＡＳデバイスに向けられた第４ＳＡＳデバイスからのアドレス・フレーム・オープンを拒絶するように適合される、請求項１１に記載のエキスパンダ。
【請求項１６】
前記第２仮想接続論理が、第２オープン接続がオープンされたままである間に前記第１ＳＡＳデバイスに向けられた第４ＳＡＳデバイスからのアドレス・フレーム・オープンを遅延させるように適合される、請求項１１に記載のエキスパンダ。
【請求項１７】
ＳＡＳエンド・デバイスであって、
前記ＳＡＳエンド・デバイスから第１ＳＡＳデバイスにフレームを送るために、ＳＡＳエキスパンダを介する前記ＳＡＳエンド・デバイスと前記第１ＳＡＳデバイスとの間に第１仮想接続を確立し動作させるように適合された第１仮想接続論理と、
第２ＳＡＳデバイスから前記ＳＡＳエンド・デバイスにフレームを送るために、ＳＡＳエキスパンダを介する前記ＳＡＳエンド・デバイスと前記第２ＳＡＳデバイスとの間に第２仮想接続を確立し動作させるように適合された第２仮想接続論理とを含み、
前記第１仮想接続論理および前記第２仮想接続論理が、それぞれ、前記第１仮想接続および前記第２仮想接続が動作をオーバーラップさせることを可能にするように適合され、
前記エンド・デバイスが、前記ＳＡＳエンド・デバイスを前記ＳＡＳエキスパンダに結合する同一のリンク上で前記第１および第２の仮想接続を確立するように適合される、ＳＡＳエンド・デバイス。
【請求項１８】
前記第２仮想接続論理が、
前記第２ＳＡＳデバイスから前記ＳＡＳエンド・デバイスに向けられるＲＲＤＹプリミティブを破棄するように適合された二重論理をさらに含む、請求項１７に記載のエンド・デバイス。
【請求項１９】
前記第１仮想接続論理が、
前記ＳＡＳエンド・デバイスから前記第１ＳＡＳデバイスにＣＲＥＤＩＴ  ＢＬＯＣＫＥＤプリミティブを送ることによって、第１オープン接続内で前記第１ＳＡＳデバイスに関連する受取クレジットをブロックするように適合された二重論理をさらに含む、請求項１７に記載のエンド・デバイス。
【請求項２０】
前記第２仮想接続に関連する前記受取クレジットと独立に前記第１仮想接続に関連する送出クレジットを管理するように適合された二重論理をさらに含む、請求項１７に記載のエンド・デバイス。